【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
複数の発光部を有する光源手段と、前記複数の発光部から放射された複数の光束を偏向走査する光偏向器と、前記複数の発光部から放射された複数の光束に対応して各々の配置された複数の第一の光学素子と、前記複数の第一の光学素子の各々から出射した複数の光束に対応して共通に用いられ且つ前記複数の光束を前記光偏向器の同一偏向面に入射させる第二の光学素子と、前記光偏向器の同一偏向面にて偏向走査された複数の光束を被走査面上に結像させる第３の光学素子と、を備えた光走査装置であって、
前記複数の第一の光学素子の各々は、主走査方向及び副走査方向にパワーを備え、前記第二の光学素子は、副走査方向にパワーを備えており、
副走査断面内において、前記第二の光学素子から出射した複数の光束は、前記第二の光学素子と前記光偏向器の間の光路中にて各々交差し、前記光偏向器の偏向面に対して斜め方向から入射していることを特徴とする光走査装置。
【請求項２】
前記光偏向器の偏向面で偏向走査された光束と前記第３の光学素子の光軸とが成す副走査方向の角度をθ(rad)、前記第３の光学素子の副走査方向の倍率をβ、前記複数の光束に対応して各々配置された前記第１の光学素子の主点間の副走査方向の間隔を２ｈ（≠０）(mm)、前記光偏向器の同一偏向面上での複数の光束の主光線の副走査方向の間隔を２ｈ´（≠０）(mm)、前記第１の光学素子の主点から前記第２の光学素子の主点までの前記第２の光学素子の光軸方向の距離をｓ(mm)とするとき、
【数１】
2005148284.tif 000001
なる条件を満足することを特徴とする請求項１に記載の光走査装置。
【請求項３】
前記複数の光束に対応して各々配置された第１の光学素子の主点から前記第２の光学素子の主点までの前記第２の光学素子の光軸方向の各々の距離が、互いに異なっていることを特徴とする請求項１に記載の光走査装置。
【請求項４】
請求項１乃至３の何れか１項に記載の光走査装置と、前記被走査面に配設された感光体と、前記光走査装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項５】
請求項１乃至４の何れか１項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００１４
【補正方法】変更
【補正の内容】
【００１４】
請求項１の発明の光走査装置は、
複数の発光部を有する光源手段と、前記複数の発光部から放射された複数の光束を偏向走査する光偏向器と、前記複数の発光部から放射された複数の光束に対応して各々の配置された複数の第一の光学素子と、前記複数の第一の光学素子の各々から出射した複数の光束に対応して共通に用いられ且つ前記複数の光束を前記光偏向器の同一偏向面に入射させる第二の光学素子と、前記光偏向器の同一偏向面にて偏向走査された複数の光束を被走査面上に結像させる第３の光学素子と、を備えた光走査装置であって、
前記複数の第一の光学素子の各々は、主走査方向及び副走査方向にパワーを備え、前記第二の光学素子は、副走査方向にパワーを備えており、
副走査断面内において、前記第二の光学素子から出射した複数の光束は、前記第二の光学素子と前記光偏向器の間の光路中にて各々交差し、前記光偏向器の偏向面に対して斜め方向から入射していることを特徴としている。
【手続補正３】
【補正対象書類名】明細書
【補正対象項目名】００１５
【補正方法】変更
【補正の内容】
【００１５】
請求項２の発明は、請求項１の発明において、
前記光偏向器の偏向面で偏向走査された光束と前記第３の光学素子の光軸とが成す副走査方向の角度をθ(rad)、前記第３の光学素子の副走査方向の倍率をβ、前記複数の光束に対応して各々配置された前記第１の光学素子の主点間の副走査方向の間隔を２ｈ（≠０）(mm)、前記光偏向器の同一偏向面上での複数の光束の主光線の副走査方向の間隔を２ｈ´（≠０）(mm)、前記第１の光学素子の主点から前記第２の光学素子の主点までの前記第２の光学素子の光軸方向の距離をｓ(mm)とするとき、
【数２】
2005148284.tif 000002
なる条件を満足することを特徴としている。
【手続補正４】
【補正対象書類名】明細書
【補正対象項目名】００１６
【補正方法】変更
【補正の内容】
【００１６】
請求項３の発明は請求項１の発明において、
前記複数の光束に対応して各々配置された第１の光学素子の主点から前記第２の光学素子の主点までの前記第２の光学素子の光軸方向の各々の距離が、互いに異なっていることを特徴としている。
【手続補正５】
【補正対象書類名】明細書
【補正対象項目名】００１７
【補正方法】変更
【補正の内容】
【００１７】
請求項４の発明の画像形成装置は、
請求項１乃至３の何れか１項に記載の光走査装置と、前記被走査面に配設された感光体と、前記光走査装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴としている。
【手続補正６】
【補正対象書類名】明細書
【補正対象項目名】００１８
【補正方法】変更
【補正の内容】
【００１８】
請求項５の発明の画像形成装置は、
請求項１乃至４の何れか１項に記載の光走査装置と、外部機器から入力したコードデータを画像信号に変換して前記光走査装置に入力せしめるプリンタコントローラとを有していることを特徴としている。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】